(57)【特許請求の範囲】
【請求項１】
水不溶性担体にポリスチレンスルホン酸を固定してなる、体液中の腫瘍壊死因子−αを吸着するための吸着剤。
【請求項２】
水不溶性担体が親水性である請求項１記載の吸着剤。
【請求項３】
水不溶性担体が水酸基を有する請求項２記載の吸着剤。
【請求項４】
水不溶性担体が多孔性である請求項１記載の吸着剤。
【請求項５】
体液中の腫瘍壊死因子−αを吸着除去するための吸着器を製造するための請求項１記載の吸着剤の使用。
【請求項６】
請求項１記載の吸着剤を、体液の入口および出口を有し、かつ吸着剤の容器外への流出防止手段を備えた容器内に充填してなる腫瘍壊死因子−αの吸着器。
【請求項７】
水不溶性担体に固定されたポリスチレンスルホン酸の、体液中の腫瘍壊死因子−αを吸着するための吸着剤を製造するための使用。
【発明の詳細な説明】
【技術分野】
【０００１】
本発明は、腫瘍壊死因子−α（以下、ＴＮＦ−αともいう）の吸着剤、それを用いたＴＮＦ−αの吸着除去方法および前記吸着剤を用いたＴＮＦ−αの吸着器に関する。
【背景技術】
【０００２】
敗血症とは、体内のどこかに感染があり、そのために全身的な炎症反応が起った状態をいう。この炎症症状が亢進していくと、ショック症状が起こり（敗血症性ショック）、また臓器障害が起こり（臓器不全）、さらに多臓器不全といった重篤な状態に陥る。
【０００３】
このように、感染から炎症を惹き起こす代表的な物質は、グラム陰性菌の表面にあるエンドトキシンが存在すると産生される種々のサイトカインや活性化補体であり、サイトカインの中でも最初にＴＮＦ−αの血中濃度が上昇すること、またＴＮＦ−αが他のサイトカインの産生を促進するといった点から、ＴＮＦ−αが最も重要視されている。
【０００４】
敗血症はグラム陰性菌のみならずグラム陽性菌によっても起こりうる。このばあいには、エンドトキシンが存在しなくても感染局所でさまざまな刺激をうけるためＴＮＦ−αなどのサイトカインが産生されることにより惹き起こされると考えられている。
【０００５】
また、敗血症のばあい、ＴＮＦ−αが高値で経過したものは予後がわるく、ＴＮＦ−αの値は病態の重症度をよく反映している（「集中治療」６巻（２号）１１５〜１２３頁（１９９４年））。
【０００６】
このような敗血症に対する従来の治療法としては、感染対策としての抗生物質投与療法、感染に対する抵抗力の賦活を目的とするγ−グロブリン投与などがあるが、依然高い死亡率を示している。そこで、炎症を惹き起こすサイトカインのうちでも最も重要視されているＴＮＦ−αを体液中から除去することが、医学的見地から望まれている。
【０００７】
さらに、敗血症以外の疾患においても、たとえばその病因に免疫異常が想定されているＩＢＤ（ｉｎｆｌａｍｍａｔｏｒｙ  ｂｏｗｅｌ  ｄｉｓｅａｓｅ）、ＳＬＥ（ｓｙｓｔｅｍｉｃ  ｌｕｐｕｓ  ｅｒｙｔｈｅｍａｔｏｓｕｓ）、川崎病などでは、血中ＴＮＦ−α濃度が病勢に一致して高値を示すこと、また、ＲＡ（ｒｈｅｕｍａｔｏｉｄ  ａｒｔｈｒｉｔｉｓ）では、関節液中のＴＮＦ−α濃度が上昇すること、が知られている（「日本臨床」４８巻増刊号３０４〜３１１頁（１９９０年））。したがって、これらの疾患に対しても、ＴＮＦ−αを体液中から除去するといった治療法が考えられる。
【０００８】
ＴＮＦ−αを体液中から除去するための吸着剤として、特開平６−２１１９００号公報（べー  ブラウン  メルズゲン  アクチエンゲゼルシャフトの出願）には、ポリアニオン重合体が共有結合により結合している多孔質担体からなる吸着剤が記載されており、その実施例ではデキストラン硫酸を結合した多孔質担体が用いられている。
【０００９】
しかし、特開平６−２１１９００号公報に記載されているデキストラン硫酸を共有結合により結合させた多孔質担体のばあい、ＴＮＦ−αとの相互作用が弱く、デキストラン硫酸を結合させた多孔質担体を充填したカラムにＴＮＦ−αを含む液を流してもＴＮＦ−αは吸着されず、遅れて溶離するだけであることが本発明者らの研究により明らかにされている。
【００１０】
また、デキストラン硫酸のかわりにヘパリン、コンドロイチン硫酸といった硫酸化多糖を使用したばあい、ポリグルタミン酸、ポリアスパラギン酸といったポリペプチドや核酸、さらにはポリアクリル酸、ポリビニルスルホン酸といったものを使用したばあいも同様に好ましい結果がえられないことが明らかになっている。
【発明の開示】
【００１１】
本発明は、前記のごとき従来のポリアニオン重合体を結合させた多孔質担体からなる吸着剤の欠点を改善し、体液、とくに血液、血漿および血清からＴＮＦ−αを選択的に吸着除去しうる吸着剤をうるためになされたものであり、
水不溶性担体に、一般式（Ｉ）：
【００１２】
【化１】
0003901216.tif 000002
【００１３】
（式中、Ｘはアニオン性官能基、Ａはアニオン性官能基以外の置換基、ｎは０〜４の整数、ｎが２以上のばあい、ｎ個のＡは同じであってもよく、異なっていてもよい）で表わされる官能基を有する化合物を固定してなる腫瘍壊死因子−αの吸着剤（請求項１）、
Ｘがスルホン酸基である請求項１記載の吸着剤（請求項２）、
Ｘが硫酸エステル基である請求項１記載の吸着剤（請求項３）、
一般式（Ｉ）で表わされる官能基を有する化合物が、一般式（Ｉ）で表わされる官能基を１分子中に複数個有する化合物である請求項１記載の吸着剤（請求項４）、
一般式（Ｉ）で表わされる官能基を１分子中に複数個有する化合物がポリスチレンスルホン酸である請求項４記載の吸着剤（請求項５）、
水不溶性担体が親水性である請求項１記載の吸着剤（請求項６）、
水不溶性担体が水酸基を有する請求項６記載の吸着剤（請求項７）、
水不溶性担体が多孔性である請求項１記載の吸着剤（請求項８）、
請求項１記載の吸着剤を腫瘍壊死因子−αを含む体液と接触させる腫瘍壊死因子−αの吸着除去方法（請求項９）、
請求項１記載の吸着剤を、体液の入口および出口を有し、かつ吸着剤の容器外への流出防止手段を備えた容器内に充填してなる腫瘍壊死因子−αの吸着器（請求項１０）、
水不溶性担体に固定された一般式（Ｉ）：
【００１４】
【化２】
0003901216.tif 000003
【００１５】
（式中、Ｘはアニオン性官能基、Ａはアニオン性官能基以外の置換基、ｎは０〜４の整数、ｎが２以上のばあい、ｎ個のＡは同じであってもよく、異なっていてもよい）で表わされる官能基を有する化合物の腫瘍壊死因子−αの吸着剤を製造するための使用（請求項１１）
に関する。
【００１６】
なお、本発明における体液とは、血液、血漿、血清、腹水、リンパ液、関節内液およびこれらからえられる分画成分、ならびにその他の生体由来の液性成分などをいう。
【００１７】
また、ＴＮＦ−αは分子量１７ｋＤａの１５７個のアミノ酸からなる単純蛋白質で、通常３量体を形成している。したがって、３量体の分子量は約５１，０００である。
【発明を実施するための最良の形態】
【００１８】
本発明に使用される水不溶性担体に固定される一般式（Ｉ）：
【００１９】
【化３】
0003901216.tif 000004
【００２０】
（式中、Ｘはアニオン性官能基、Ａはアニオン性官能基以外の置換基、ｎは０〜４の整数、ｎが２以上のばあい、ｎ個のＡは同じであってもよく、異なっていてもよい）で表わされる官能基を有する化合物は、前記のごとく、ベンゼン環にアニオン性官能基が１個結合し、ベンゼン環ののこりの４個の位置には水素原子が結合していてもよく、アニオン性官能基以外の置換基が結合していてもよく、また、４個の位置の一部にアニオン性官能基以外の置換基が結合していてもよい。また、前記置換基が２個以上存在するばあい、それらは同じであってもよく、異なっていてもよい。
【００２１】
前記アニオン性官能基とは、ｐＨが中性付近で負に帯電する官能基のことであり、このようなアニオン性官能基であるかぎりとくに制限はない。このようなアニオン性官能基の代表例としては、カルボキシル基、スルホン酸基、硫酸エステル基、シラノール基、リン酸エステル基、フェノール性水酸基などがあげられるが、これらに限定されるものではない。これらの中では、スルホン酸基、硫酸エステル基が好ましい。
【００２２】
一般式（Ｉ）で表わされるベンゼン環に結合している置換基（Ａ）は、アニオン性官能基以外の基であるかぎりとくに限定はなく、たとえばメチル基、エチル基のようなアルキル基や、フェニル基のような芳香族基でもよく、またニトロ基や水酸基のように炭素を含まないものでもよい。
【００２３】
一般式（Ｉ）で表わされる官能基を有する化合物が、一般式（II）：
【００２４】
【化４】
0003901216.tif 000005
【００２５】
で表わされる官能基（式中、Ｘは前記と同じ）を有する化合物のばあいの具体例としては、ジヒドロキシベンゼン、アミノフェノール、ヒドロキシ安息香酸（サリチル酸）、フタル酸、スルホ安息香酸、アミノ安息香酸、ベンゼンジスルホン酸、アミノベンゼンスルホン酸（スルファニル酸）、フェノールスルホン酸などがあげられるが、これらに限定されるものではない。これらの中ではスルホ安息香酸、ベンゼンジスルホン酸、アミノベンゼンスルホン酸、フェノールスルホン酸が強酸性であるスルホン酸基を有する点から好ましい。
【００２６】
一般式（Ｉ）で表わされる官能基を有する化合物が、一般式（III）：
【００２７】
【化５】
0003901216.tif 000006
【００２８】
一般式（IV）：
【００２９】
【化６】
0003901216.tif 000007
【００３０】
一般式（Ｖ）：
【００３１】
【化７】
0003901216.tif 000008
【００３２】
または一般式（VI）：
【００３３】
【化８】
0003901216.tif 000009
【００３４】
で表わされる官能基（以上の式中、Ｘ、Ａは前記と同じ、Ａが複数個結合するばあい、これらは同じであってもよく異なっていてもよい）を有する化合物のばあいの具体例としては、アミノヒドロキシベンゼンスルホン酸、メチルサリチル酸、クロロメチルニトロベンゼンスルホン酸などがあげられるが、これらに限定されるものではない。
【００３５】
一般式（Ｉ）で表わされる官能基を有する化合物は、１分子あたりその官能基を１個有する化合物であっても、１分子あたり複数個であってもよい。一般式（Ｉ）で表わされる官能基を複数個有する化合物はＴＮＦ−αとの親和性が大きく、また単位量の固体物質に多くの官能基を導入しやすいという点から好ましい。なかでも分子量１０００以上の化合物はＴＮＦ−αとの親和性が大きく、また単位量の固体物質に多くの官能基を導入しやすいという点からより好ましい。
【００３６】
なお、一般式（Ｉ）で表わされる官能基を複数個有するばあい、複数個の官能基は同種の官能基であってもよく、異種の官能基であってもよい。
【００３７】
このような１分子あたり複数個の官能基を有する化合物の具体例としては、ポリスチレンスルホン酸やポリスチレンリン酸などがあげられるが、これらに限定されるものではない。これらのうちではとくにポリスチレンスルホン酸が、強酸性であるスルホン酸基を有している点から好ましい。
【００３８】
本発明に使用される水不溶性担体としては、ガラスビーズ、シリカゲルなどの無機担体、ポリビニルアルコール、エチレン−酢酸ビニル共重合体鹸化物、ポリメタクリル酸メチルなどのポリ（メタ）アタリレート、ポリ（メタ）アクリル酸、ポリアクリルアミド、ポリスチレン、ポリアクリル酸グラフト化ポリエチレン、ポリアクリルアミドグラフト化ポリエチレンなどの合成高分子からの水不溶性担体や、結晶性セルロース、セルロース、アガロース、デキストラン、キトサンなどの多糖類からなる有機担体、さらにはこれらの組み合わせによってえられる有機−有機、有機−無機などの複合担体などがあげられるが、これらに限定されるものではない。
【００３９】
これらの担体はそれぞれ単独で用いてもよく、任意の２種以上を併用してもよい。これらのうちでは親水性担体が、非特異吸着が比較的少なく、ＴＮＦ−αの吸着選択性が良好であるため好ましい。
【００４０】
前記親水性担体とは、担体を構成する化合物を平板状にしたときの水との接触角が６０度以下の担体をいい、たとえばセルロース、キトサン、アガロース、デキストランなどの多糖類、ポリビニルアルコール、エチレン−酢酸ビニル共重合体鹸化物、ポリアクリルアミド、ポリアクリル酸、ポリメタクリル酸、ポリアクリル酸グラフトポリエチレン、ポリアクリルアミドグラフトポリエチレンなどの親水性合成高分子、ガラスなどからなる担体が親水性担体に相当する。
【００４１】
前記水不溶性担体の中でも水酸基を有する親水性担体が、とくに吸着性能、選択性の点から優れており、中でも多孔性セルロースゲルは、
（1）機械的強度が比較的高く強靭であるため、撹拌などの操作により破壊されたり微粉を生じたりすることが少なく、カラムに充填したばあい、体液を高流速で流しても圧密化したり、目詰まりしたりせず、さらに細孔構造が高圧蒸気滅菌などによって変化を受けにくい
（2）ゲルがセルロースで構成されているため親水性であり、リガンドの結合に利用しうる水酸基が多数存在し、非特異吸着が少ない
（3）空孔容積を大きくしても比較的強度が高いため、軟質ゲルに劣らない吸着容量がえられる
（4）安全性が合成高分子ゲルなどに比べて高い
などの優れた点を有しており、本発明に用いるのに最も適した担体の１つである。
【００４２】
本発明の吸着剤は、その外表面だけでもＴＮＦ−αを吸着することができるが、より多くのＴＮＦ−αを吸着するためには、適当な大きさの細孔を多数有する、すなわち多孔性であることが好ましい。ＴＮＦ−α（３量体で分子量が約５１，０００）を効率よく吸着するためには、ＴＮＦ−αはある程度大きな確率で細孔内に侵入しうるが他の蛋白質の侵入はできる限り起こらないことが好ましい。
【００４３】
細孔の孔径の測定には、水銀圧入法が最もよく用いられているが、本発明で用いる多孔質水不溶性担体のばあいには、乾燥すると担体の構造が変化してしまい適用できないことが多いので、細孔の孔径の目安として排除限界分子量を用いるのがよい。
【００４４】
排除限界分子量とは、ゲル浸透クロマトグラフィーにおいて細孔内に侵入できない（排除される）分子の内最も小さい分子量をもつものの分子量をいう（波多野博行、花井俊彦著、「実験高速液体クロマトグラフ」、（株）化学同人より発行）。
【００４５】
排除限界分子量は一般に球状蛋白質、デキストラン、ポリエチレングリコールなどについてよく調べられているが、本発明に用いる担体のばあい、球状蛋白質を用いてえられる値を用いるのが好ましい。
【００４６】
ＴＮＦ−αの３量体の分子量が約５１，０００であるため、５万未満の排除限界分子量をもつ担体を用いたばあいには、ＴＮＦ−αの吸着除去量は小さく、その実用性が低下してしまう。したがって、本発明に用いる担体の好ましい排除限界分子量は５万以上である。体液として血漿または血清を用いる限り、排除限界分子量が大きくても問題は生じない。しかし、体液として血液を用いるばあい、排除限界分子量が５００万を超えると、血小板の付着の割合が増加する傾向が見られ、本発明の吸着体を直接血液灌流型（ＤＨＰ）の血液浄化システムで用いるばあい、必ずしも充分な性能が発揮できない。一方、排除限界分子量が５００万以下のばあい、どのような使用法でもとくに支障はなく、多くの用途・使用法で使用できるようにするためには、排除限界分子量が５００万以下であるのが望ましい。
【００４７】
また、吸着剤の単位体積あたりの吸着能から考えて、表面多孔性のものが好ましく、空孔容積が２０％以上であり、比表面積が３ｍ2／ｇ以上であることが好ましい。また担体の形状は、粒状、繊維状、中空形状など任意の形状でよい。
【００４８】
さらに、担体表面には、リガンドの固定に用いうる官能基が存在しているのが好ましい。このような官能基の代表例としては、水酸基、アミノ基、アルデヒド基、カルボキシル基、チオール基、シラノール基、アミド基、エポキシ基、ハロゲン基、サクシニルイミド基、酸無水物基などがあげられる。
【００４９】
本発明に用いる水不溶性担体としては、硬質担体、軟質担体のいずれも用いることができるが、体外循環治療用の吸着剤として使用するためには、カラムに充填し、通液する際などに目詰まりが生じないことが重要である。そのために充分な機械的強度が要求されるので、硬質担体であるのがより好ましい。
【００５０】
前記硬質担体とは、たとえば粒状ゲルのばあい、後述する参考例１に示すように、ゲルを円筒状カラムに均一に充填し、水性流体を流した際の圧力損失ΔＰと流量との関係が０．３ｋｇ／ｃｍ2まで直線関係にあるものをいう。
【００５１】
本発明の吸着剤は、一般式（Ｉ）で表わされる官能基を有する化合物を水不溶性担体に固定することによりえられるが、固定化法としては、公知の種々の方法を特別な制限なしに用いることができる。代表的な固定化法としては、
（1）アニオン性官能基Ｘを含まない化合物を固体物質（水不溶性担体）に固定させたあとＸを導入する方法、
（2）アニオン性官能基Ｘを含んだ化合物を固体物質に固定させる方法
などがあげられる。
【００５２】
（1）および（2）の方法で、これらの化合物を固体物質に固定させる方法としては、物理的吸着による方法、イオン結合による方法、共有結合による方法などがあり、いかなる方法を用いてもよいが、吸着剤の保存性および安定性のためにはアニオン性官能基を有する化合物が脱離しないことが重要であるので、強固な固定が可能な共有結合法が望ましい。
【００５３】
（1）の方法でＸを導入する方法の代表例として、濃硫酸またはクロロスルホン酸で処理することによるスルホン酸基導入がある。
【００５４】
一方、１分子あたり複数個の一般式（Ｉ）で表わされる官能基を有する化合物を固定するばあい、前記（1）および（2）の方法の他に、
（3）固体物質上でグラフト重合させる方法
があげられる。
【００５５】
水不溶性担体に一般式（Ｉ）で表わされる官能基を有する化合物が固定される量は、滴定することによりアニオン性官能基の量として測定される。その固定される量としては、たとえば水不溶性担体が粒状のばあい、沈降体積１ｍｌあたり０．０１ｍｍｏｌ以上であることが好ましい。これより少ないばあいには、吸着できるＴＮＦ−αの量が極端に減少し実用に耐えなくなる。
【００５６】
水不溶性担体に、一般式（Ｉ）で表わされる官能基を有する化合物を固定した吸着剤を体液と接触させ、体液中のＴＮＦ−αを吸着除去する方法には種々の方法がある。代表的な方法としては、体液を取り出してバッグなどに貯留し、これと吸着剤とを混合してＴＮＦ−αを吸着除去したのち、吸着剤を濾別してＴＮＦ−αの除去された体液をうる方法、体液の入口および出口を有し、出口、好ましくは入口および出口に体液は通過するが吸着剤は通過しないフィルターを装着した容器に吸着剤を充填し、これに体液を流す方法などがあげられる。いずれの方法を用いてもよいが、後者の方法は操作も簡単であり、また体外循環回路に組み込むことにより患者の体液から効率よくオンラインでＴＮＦ−αを除去することが可能であり、本発明の吸着剤はこの方法に適している。
【００５７】
吸着剤をカラムに充填して使用するばあいには、体液として血漿または血清を用いる限り、吸着剤は微粉末でなければよく、粒径分布が狭い方が好ましい。しかし、血液を通液するばあいには、血液に含まれる細胞が充分に通過しうる間隙をつくれるものであることが好ましい。たとえば、吸着剤が粒状であるばあい、前述のとおり微粉末は好ましくなく、１００μｍ以上の粒径のものが好ましい。さらに、粒子の大きさが小さすぎるものと大きすぎるものとが除去された状態のものが好ましく、平均粒径が１００μｍ以上１０００μｍ以下で、かつ粒径分布が狭い方がより好ましい。また、吸着剤が繊維状で、かつ中空であるばあい、内径が５μｍ以上のものが好ましい。中空でない繊維状であるばあい、径が１μｍ以上であることが好ましい。
【００５８】
本発明の吸着剤に血液を通過させる際に、血球成分の非特異吸着を避けるために、たとえばヒドロキシエチルメタクリレートの重合体といった血液適合性のすぐれた高分子でコーティングしてもよい。また、このコーティングは吸着剤からの微粒子の発生を防ぐために行なってもよい。
【００５９】
つぎに、ＴＮＦ−αの吸着剤を用いた本発明のＴＮＦ−αの吸着器を、その一実施例の概略断面図である図１に基づき説明する。
【００６０】
図中、１は体液の入口、２は体液の出口、３は本発明のＴＮＦ−αの吸着剤、４および５は体液および体液に含まれる成分は通過しうるがＴＮＦ−αの吸着剤は通過できない吸着剤流出防止フィルター、６はカラム、７はＴＮＦ−αの吸着器である。前記ＴＮＦ−αの吸着器の容器の形状、材質にはとくに限定はないが、好ましい具体例としては、たとえば容量１５０〜４００ｍｌ程度、直径４〜１０ｃｍ程度の筒状容器があげられる。
【００６１】
以下、本発明を実施例に基づきさらに詳しく説明するが、本発明は以下の実施例のみに限定されるものではない。
【００６２】
参考例１
両端に孔径１５μｍのフィルターを装着したガラス製円筒カラム（内径９ｍｍ、カラム長１５０ｍｍ）に、アガロースゲル（バイオ−ラド（ＢＩＯ−ＲＡＤ）社製のＢｉｏｇｅｌ  Ａ−５ｍ、粒径５０〜１００メッシュ）、ビニル系ポリマーゲル（東ソー（株）製のトヨパールＨＷ−６５、粒径５０〜１００μｍ）およびセルロースゲル（チッソ（株）製のセルロファインＧＣ−７００ｍ、粒径４５〜１０５μｍ）をそれぞれ均一に充填し、ペリスタティックポンプにより水を流し、流量と圧力損失ΔＰとの関係を求めた。結果を図２に示す。
【００６３】
図２に示すごとく、トヨパールＨＷ−６５およびセルロファインＧＣ−７００ｍが圧力の増加にほぼ比例して流量が増加するのに対し、Ｂｉｏｇｅｌ  Ａ−５ｍは圧密化を惹き起こし、圧力を増加させても流量が増加しないことがわかる。
【００６４】
本発明においては、前者のごとく、圧力損失ΔＰと流量との関係が０．３ｋｇ／ｃｍ2まで直線関係にあるものを硬質ゲルという。
【００６５】
実施例１
（吸着剤の作製）
セルロースビーズＣＫ−Ａ３（チッソ（株）製、球状蛋白質の排除限界分子量５０，０００，０００）１００ｍｌ、水１００ｍｌ、２Ｎ水酸化ナトリウム５０ｍｌおよびエピクロルヒドリン２０ｍｌを反応容器中で混合して４０℃で２時間反応させることにより、エポキシ化セルロースビーズＣＫ−Ａ３をえた。えられたエポキシ化セルロースビーズＣＫ−Ａ３の１００ｍｌ、水１００ｍｌおよび２８％アンモニア水１０ｍｌを反応容器中で混合して室温で一晩反応させることにより、アミノ化セルロースビーズＣＫ−Ａ３をえた。
【００６６】
一方、ポリスチレンスルホン酸ナトリウム（平均分子量約７０，０００）１０ｇ、塩化チオニル１ｍｌおよびトルエン２５０ｍｌを反応容器中で混合し、室温で８時間反応させることにより、一部をクロル化したポリスチレンスルホン酸ナトリウムをえた。
【００６７】
えられたクロル化ポリスチレンスルホン酸ナトリウム１０ｇ、アミノ化セルロースビーズＣＫ−Ａ３の１００ｍｌおよび水１００ｍｌを反応容器中で混合し、室温で一晩反応させることにより、ポリスチレンスルホン酸ナトリウム固定化セルロースビーズＣＫ−Ａ３をえた。滴定法で測定したところ、沈降体積１ｍｌあたり約３０ｍｍｏｌのアニオン性官能基を有する量のポリスチレンスルホン酸ナトリウムが固定化されていることが確認できた。
【００６８】
（吸着剤の評価）
ポリスチレンスルホン酸ナトリウム固定化セルロースビーズＣＫ−Ａ３を生理食塩水で洗浄した。このビーズ０．５ｍｌを試験管にとり、余分な生理食塩水を除いたのち、ＴＮＦ−αを約２０ｎｇ／ｍｌ含んだ人血清３ｍｌを加え、３７℃で２時間振盪した。上清のＴＮＦ−α濃度をＥＬＩＳＡ法で測定した。結果を表１に示す。
【００６９】
比較例１
セルロースビーズＣＫ−Ａ３を生理食塩水で平衡化した。このビーズ０．５ｍｌを試験管にとり、余分な生理食塩水を除いたのち、ＴＮＦ−αを約２０ｎｇ／ｍｌ含んだ人血清３ｍｌを加え、３７℃で２時間振盪した。上清のＴＮＦ−α濃度をＥＬＩＳＡ法で測定した。結果を表１に示す。
【００７０】
比較例２
（吸着剤の作製）
セルロースビーズＣＫ−Ａ３を１００ｍｌ、水１００ｍｌ、２Ｎ水酸化ナトリウム５０ｍｌおよびエピクロルヒドリン２０ｍｌを反応容器中で混合し、４０℃で２時間反応させることにより、エポキシ化セルロースビーズＣＫ−Ａ３をえた。えられたエポキシ化セルロースビーズＣＫ−Ａ３の１００ｍｌにデキストラン硫酸ナトリウム６ｇおよび水１００ｍｌを加え（デキストラン硫酸ナトリウムの濃度は約２．５％）、ｐＨ１１に調整して４５℃で１６時間振盪した。そののちゲルを濾別して水洗し、デキストラン硫酸ナトリウム固定化セルロースビーズＣＫ−Ａ３をえた。滴定法で測定したところ、沈降体積１ｍｌあたり約３０ｍｍｏｌのアニオン性官能基を有する量のデキストラン硫酸ナトリウムが固定化されていることが確認できた。
【００７１】
（吸着剤の評価）
デキストラン硫酸ナトリウム固定化セルロースビーズＣＫ−Ａ３を生理食塩水で洗浄した。このビーズ０．５ｍｌを試験管にとり、余分な生理食塩水を除いたのち、ＴＮＦ−αを約２０ｎｇ／ｍｌ含んだ人血清３ｍｌを加え、３７℃で２時間振盪した。上清のＴＮＦ−α濃度をＥＬＩＳＡ法で測定した。結果を表１に示す。
【００７２】
【表１】
0003901216.tif 000010
【００７３】
比較例１と比較して実施例１のＴＮＦ−α濃度が低下しており、本発明の吸着剤を用いることにより、効率よく体液中のＴＮＦ−αを吸着除去できることがわかる。一方、比較例２から単にアニオン性官能基Ｘを有する化合物であるデキストラン硫酸ナトリウムを固定させた吸着剤ではＴＮＦ−αを吸着することができず、ベンゼン環に結合したＸが必要であることがわかる。
【００７４】
実施例２
実施例１でえられたポリスチレンスルホン酸ナトリウム固定化セルロースビーズＣＫ−Ａ３を２ｍｌとり、カラム（バイオ−ラド（ＢＩＯ−ＲＡＤ）社製、径１０ｍｍ、長さ１００ｍｍ）に充填し、生理食塩水で洗浄した。そののち、ＴＮＦ−αを約２０ｎｇ／ｍｌ含む人血清を０．３３ｍｌ／ｍｉｎの流速で５．３ｍｌ流し、続いて生理食塩水を同じ流速で５ｍｌ流した。その間のカラム出口からの溶離液を、最初は０．３３ｍｌづつ１６回、つづいて１ｍｌづつ２回、最後に３ｍｌを１回分画採取し、各分画溶離液のＴＮＦ−α濃度をＥＬＩＳＡ法で測定した。また、同時にピアス（ＰＩＥＲＣＥ）社のＢＣＡプロテイン  アセイ  リイジェント（Ｐｒｏｔｅｉｎ  Ａｓｓａｙ  Ｒｅａｇｅｎｔ）を用いて蛋白質濃度も測定した。結果を図３に示す。
【００７５】
なお、図３中の各分画溶離液の濃度は注入血清中の濃度を１００とした百分率で表わしている。
【００７６】
比較例３
（吸着剤の作製）
セルロファインＧＣ−７００ｍ（チッソ（株）製、球状蛋白質の排除限界分子量４０万）１００ｍｌ、水１００ｍｌ、２Ｎ水酸化ナトリウム５０ｍｌおよびエピクロルヒドリン２０ｍｌを反応容器中で混合し、４０℃で２時間反応させることにより、エポキシ化セルロファインＧＣ−７００ｍをえた。えられたエポキシ化セルロファインＧＣ−７００ｍの１００ｍｌにデキストラン硫酸ナトリウム６ｇおよび水１００ｍｌを加え（デキストラン硫酸ナトリウムの濃度は約２．５％）、ｐＨ１１に調整して４５℃で１６時間振盪した。そののちゲルを濾別して水洗し、デキストラン硫酸ナトリウム固定化セルロファインＧＣ−７００ｍをえた。滴定法で測定したところ、沈降体積１ｍｌあたり約３０ｍｍｏｌのアニオン性官能基を有する量のデキストラン硫酸ナトリウムが固定化されていることが確認できた。
【００７７】
（吸着剤の評価）
えられたデキストラン硫酸ナトリウム固定化セルロファインＧＣ−７００ｍを２ｍｌとり、実施例２と同様にカラム（バイオ−ラド（ＢＩＯ−ＲＡＤ）社製）に充填し、生理食塩水で洗浄した。そののち、ＴＮＦ−αを約２０ｎｇ／ｍｌ含む人血清を０．３３ｍｌ／ｍｉｎの流速で５．３ｍｌ流し、続いて生理食塩水を同じ流速で５ｍｌ流した。その間のカラム出口からの溶離液を実施例２と同様に分画採取し、各分画溶離液のＴＮＦ−α濃度をＥＬＩＳＡ法で測定した。また同時に蛋白質濃度も測定した。結果を図４に示す。
【００７８】
なお、図４中の各分画溶離液の濃度は注入血清中の濃度を１００とした百分率で表わしている。
【００７９】
図４から、比較例３では蛋白質濃度の立ち上がりに比べて、ＴＮＦ−α濃度が遅れて立ち上がるため、一見ＴＮＦ−αの吸着が起こっているようにみえる。しかし、そのまま血清を流していくと溶離液のＴＮＦ−α濃度がカラムに注入している血清の濃度を上回り、さらに生理食塩水を流しているときも蛋白質の割合よりも多くのＴＮＦ−αが溶離されていることがわかる。蛋白質およびＴＮＦ−αのグラフの面積を比較すると、結局カラムに注入したＴＮＦ−αのほぼ全量が溶離されていることがわかる。
【００８０】
すなわち、比較例３のばあい、実際にはＴＮＦ−αの吸着は起こっておらず、実用には耐えないことがわかる。
【００８１】
一方、図３から、実施例２のばあい、溶離液のＴＮＦ−α濃度の上昇はほとんど起こらず、確実にＴＮＦ−αを吸着除去しうることがわかる。
【産業上の利用可能性】
【００８２】
本発明のＴＮＦ−αの吸着剤を使用して体液中のＴＮＦ−αの吸着除去を行なうと、従来の吸着剤と比較して効率よくＴＮＦ−αの吸着除去を行なうことができる。
【００８３】
また、本発明の吸着剤を充填した本発明のＴＮＦ−αの吸着器を使用して体液中のＴＮＦ−αの吸着除去を行なうと、連続的にＴＮＦ−αの吸着除去を行なうことができる。
【図面の簡単な説明】
【００８４】
【図１】本発明のＴＮＦ−αの吸着器の一実施例の概略断面説明図である。
【図２】３種の水不溶性担体を用いて流量と圧力損失ΔＰとの関係を調べた結果を示すグラフである。
【図３】実施例２のＴＮＦ−αの吸着器（ポリスチレンスルホン酸固定化セルロースビーズＣＫ−Ａ３をカラムに充填した吸着器）にＴＮＦ−α含有血清を流したときの溶離液のＴＮＦ−αおよび蛋白質濃度の変化を示すグラフである。
【図４】比較例３のＴＮＦ−αの吸着器（デキストラン硫酸ナトリウム固定化セルロファインＧＣ−７００ｍをカラムに充填した吸着器）にＴＮＦ−α含有血清を流したときの溶離液のＴＮＦ−αおよび蛋白質濃度の変化を示すグラフである。
【図１】
0003901216.tif 000011
【図２】
0003901216.tif 000012
【図３】
0003901216.tif 000013
【図４】
0003901216.tif 000014